(57)【要約】水平軸を中心に揺動する家具用ドアの持上げシステムは、家具の肩部（１２）の内側に配置される揺動ピン（１０、２０）を中心に揺動するドア（３、７、１３）の支持レバー（９、１９）と、ドア（３、７、１３）の支持レバー（９、１９）に動作可能に接続されてドア（３、７、１３）の閉鎖位置でドア（３、７、１３）の閉鎖方向のモーメントを提供し、ドア（３、７、１３）の部分開放位置から始まるドア（３、７、１３）の開放方向の一次モーメントを提供する第１の弾性装置（２４）と、揺動ピン（１０、２０）に対して、ドアの開放方向の二次モーメント、および家具外側に向かうドア（３、７、１３）の最大拡張を中心とする揺動の弧状移動に沿ったドア（３、７、１３）の運動と反対方向の支持レバー（９、１９）に対する摩擦を介した対向モーメントの少なくとも一方を生成するのに適した力を提供するように、前記肩部（１２）および前記支持レバー（９、１９）に動作可能に接続される第２の弾性装置と、を備える。
2014510207.tif 000002
【特許請求の範囲】
【請求項１】
家具の肩部（１２）の内側に配置される揺動ピン（１０、２０）を中心に揺動するドア（３、７、１３）の支持レバー（９、１９）と、前記ドア（３、７、１３）の前記支持レバー（９、１９）に動作可能に接続されて前記ドアの閉鎖位置で前記ドア（３、７、１３）の閉鎖方向のモーメントを提供し、前記ドア（３、７、１３）の部分開放位置から始まる前記ドア（３、７、１３）の開放方向の一次モーメントを提供する第１の弾性装置（２４）と、を有する水平軸を中心に揺動する家具用ドアの持上げシステムであって、
前記システムが第２の弾性装置をさらに備え、前記第２の弾性装置は、前記揺動ピン（１０、２０）に対して、前記ドアの開放方向の二次モーメント、および前記家具外側に向かう前記ドア（３、７、１３）の最大拡張位置を中心とする揺動の弧状移動に沿った前記ドア（３、７、１３）の閉鎖運動と反対方向の支持レバー（９、１９）に対する摩擦による対向モーメントの少なくとも一方を生成するのに適した力を提供するように、前記肩部（１２）および前記支持レバー（９、１９）に動作可能に接続される
ことを特徴とする持上げシステム。
【請求項２】
請求項１に記載の水平軸を中心に揺動する家具用ドアの持上げシステムにおいて、
前記第２の弾性装置が、前記ドア（３、７、１３）の揺動の弧状移動時、前記ドア（３、７、１３）の開放方向の前記一次モーメントと合計される前記ドア（３、７、１３）の開放方向の二次モーメントが、前記ドア（３、７、１３）およびそれと一体化されたその他の部分の加重力による前記ドア（３、７、１３）の閉鎖方向のモーメントよりも優勢になるように構成される
ことを特徴とする持上げシステム。
【請求項３】
請求項１又は２に記載の水平軸を中心に揺動する家具用ドアの持上げシステムにおいて、
前記第２の弾性装置が、前記ドア（３、７、１３）の揺動の弧状移動時、前記ドア（３、７、１３）の複数の安定した部分開放位置の確保のために、前記ドア（３、７、１３）の開放方向の前記一次モーメントと合計される前記ドア（３、７、１３）の開放方向の二次モーメントが、前記ドア（３、７、１３）およびそれに一体化されたその他の部分の加重力による前記ドア（３、７、１３）の閉鎖方向のモーメントとほぼバランスが取れるように構成される
ことを特徴とする持上げシステム。
【請求項４】
請求項１〜３の何れか一項に記載の水平軸を中心に揺動する家具用ドアの持上げシステムにおいて、
前記第２の弾性装置が、前記二次モーメントおよび前記対向モーメントの少なくとも一方を生成する自身の力を調節する調節手段を有する
ことを特徴とする持上げシステム。
【請求項５】
請求項１〜４の何れか一項に記載の水平軸を中心に揺動する家具用ドアの持上げシステムにおいて
前記第２の弾性装置が、前記支持レバー（９、１９）に設けられるカム（３１）に沿って摺動可能な摩擦面（３０）を有する
ことを特徴とする持上げシステム。
【請求項６】
請求項５に記載の水平軸を中心に揺動する家具用ドアの持上げシステムにおいて、
前記第２の弾性装置が、前記摩擦面（３０）を有する板バネ（２９）を備える
ことを特徴とする持上げシステム。
【請求項７】
請求項６に記載の水平軸を中心に揺動する家具用ドアの持上げシステムにおいて、
前記板バネ（２９）が、前記摩擦面（３０）が存在する第１のバネアーム（３２）と第２のバネアーム（３３）とを画定する角度構造を有する
ことを特徴とする持上げシステム。
【請求項８】
請求項５〜７の何れか一項に記載の水平軸を中心に揺動する家具用ドアの持上げシステムにおいて、
前記第２の弾性装置が、摩擦を異ならせた前記カム（３１）の区域と接する素子を備える
ことを特徴とする持上げシステム。
【請求項９】
請求項８に記載の水平軸を中心に揺動する家具用ドアの持上げシステムにおいて、
摩擦を異ならせた前記カム（３１）の前記区域が、異なる材料で作製されている
ことを特徴とする持上げシステム。
【請求項１０】
請求項６〜９の何れか一項に記載の水平軸を中心に揺動する家具用ドアの持上げシステムにおいて、
前記調節手段が前記板バネ（２９）の圧縮を調節する調節素子を備える
ことを特徴とする持上げシステム。
【請求項１１】
請求項７又は１０に記載の水平軸を中心に揺動する家具用ドアの持上げシステムにおいて、
前記調節素子が前記板バネ（２９）の前記第２のアーム（３３）に動作可能に係合される偏心器（３７）を備える
ことを特徴とする持上げシステム。
【請求項１２】
請求項１〜１１の何れか一項に記載の水平軸を中心に揺動する家具用ドアの持上げシステムにおいて、
前記第１の弾性装置がガススプリング（２４）を備える
ことを特徴とする持上げシステム。
【請求項１３】
１つまたは複数の先行する請求項による持上げシステムを備える、水平軸を中心に揺動する１つまたは複数のドアを有する家具。
【発明の詳細な説明】
【技術分野】
【０００１】
本発明は、水平軸を中心に揺動する家具用ドアの持上げシステム、特に、フードユニットのドアを持上げる持上げシステムに関する。
【背景技術】
【０００２】
家具業界において、キッチンフードユニットのドアを支持し垂直に移動させる持上げシステムの使用は十分既知である。こうしたシステムはそれぞれ、家具の本体と持上げられるドアとを連結するように接続される１つまたは複数の支持レバーを備え、さらに、ドアを持上げるのに必要な力を印加するようにレバーに動作可能に接続される弾性装置、たとえばガススプリングガススプリングも備える。
【０００３】
従来、レバーと弾性装置との間の動作接続は、弾性装置が接続される揺動中間部材を通じて間接的に達成され、該部材は弾性装置の力をレバー自体に伝えるように支持レバーのカムに作用するローラを有する。
【０００４】
もしくは、レバーと弾性装置との間の動作接続は、支持レバー上の連結ピンを弾性装置自体のピストンのロッドに接続することによって直接達成することができ、該ピンは支持レバーの揺動軸から距離をおいて配置され、この解決策は構造がより簡易になるために好ましい。
【発明の概要】
【発明が解決しようとする課題】
【０００５】
このような持上げシステムの分野では、持上げ運動中、特にドアの重量によって生成されるモーメントがピークに達する領域において持上げ運動を制御できることと、いったん所望の位置に達した後は、開放中にはドアを任意の位置に固定させておくことができることが必要とされる。実際にはガススプリングは拡張中に制限的に変動する力を伝えるため、このような持上げシステムでは、特にガススプリングがレバーに直接接続される場合、フードユニットの最初の開放弧状移動中にバネによるトルクがドアの加重力またはドアによる対向トルクに対して優勢となることがあり、家具の外側に向かうフードユニットの最大拡張位置に相当する別の開放弧状移動では、トルクがドアの重量により最大値を取り、バネのトルクはそれよりも低いため、フードユニットを所定位置に保持することも最大開放位置に向けて押すこともできない。
【０００６】
さらに、ドアを有効に持上げるため、ドアの重量、素材、厚みなどの特徴に見合った持上げ力を達成する必要がある。
最後に、このようなシステムの使用を通じて、ドア自体が落下するリスクを含め、ドアを持上げる、あるいはドアを上昇位置に保持するのに必要な力を伝達することができない点まで、ガススプリングが時間の経過と共に効力を失う傾向があるという技術上の課題がこれまでに観察されてきた。
【課題を解決するための手段】
【０００７】
本発明の主目的は、ユーザの需要を満たし、上記の課題を解決することのできる持上げシステムを提供することである。
この技術的課題の範囲内において、本発明の目的は、ドアの持上げを精密に制御し、その制御の効力を時間の経過と共に普遍的に保持することのできる、水平軸を中心に揺動する家具用ドアの持上げシステムを提供することである。
【０００８】
この技術的課題とこれらのおよびその他の目的は、本発明によれば、家具の肩部の内側に配置される揺動ピンを中心に揺動するドアの支持レバーと、ドアの支持レバーに動作可能に接続されてドアの閉鎖位置でドアの閉鎖方向のモーメントを提供し、ドアの部分開放位置から始まるドアの開放方向の一次モーメントを提供する第１の弾性装置と、を有する、水平軸を中心に揺動する家具用ドアの持上げシステムであって、前記揺動ピンに対して、ドアの開放方向の二次モーメント、および家具外側に向かうドアの最大拡張を中心とする揺動の弧状移動に沿ったドアの閉鎖運動と反対方向の支持レバーに対する摩擦を介した対向モーメントの少なくとも一方を生成するのに適した力を提供するように、肩部および支持レバーに動作可能に接続される第２の弾性装置をさらに備える持上げシステムによって達成される。
【０００９】
二次開放モーメントが第１の弾性装置によって生成される開放モーメントと合計される一方、摩擦モーメントはフードユニットの運動に対向し、フードユニットを平衡状態に保持するように第１の弾性装置によって生成されるモーメントと加重力との間の差を相殺するのに適している。
【００１０】
第２の弾性装置は、ドアの揺動の弧状移動時、ドアの開放方向の一次モーメントと合計されるドアの開放方向の二次モーメントが、ドアとそれに一体化されたその他の部分の加重力によりドアの閉鎖方向のモーメントとほぼ等しくなる、あるいは後者より優勢になるように構成される。
【００１１】
好ましくは、第２の弾性装置は、前記二次モーメントおよび前記対向モーメントの少なくとも一方を生成する自身の力を調節するための手段を有する。
このような調節手段は、各種部分開放位置において平衡状態を維持するドアの運動を選択するか、あるいはより高速または低速な運動でドアの連続的開放を選択するかに応じて、装置の動作を変更するように装置に作用することができる。
【００１２】
さらに、前記調節手段は、互いに異なる材料または厚さを有する重量の異なるドアに装置を適応させるという点で特に好都合である。
好ましくは、第２の弾性装置は、前記支持レバーに設けられるカムに沿って摺動可能な摩擦面を有する。
【００１３】
好ましくは、第２の弾性装置は前記摩擦面を有する板バネを備える。
好ましくは、前記板バネは、前記摩擦面が存在する第１のバネアームと、第２のバネアームとを画定する角度構造を有する。
【００１４】
好ましくは、前記調節手段は、前記板バネの与圧を調節する素子を備える。
好ましくは、前記調節素子は、前記板バネの前記第２のアームに動作可能に係合される偏心器を備える。
【００１５】
別の実施形態では、第２の弾性装置は、前記調節素子の代わりに、あるいは前記調節素子と組み合わせて、摩擦を異ならせた、具体的には異なる材料で作製された、前記カムの区域に接する素子を備える。
【図面の簡単な説明】
【００１６】
本発明のさらなる特徴および利点は、本発明による水平軸を中心に揺動する家具用ドアの持上げシステムの好適だが排他的ではない実施形態の説明からより明らかになるであろう。その実施形態は、以下の添付図面の非限定的例により示される。
【図１】二段ドアの閉鎖位置における、本発明による二段ドアの持上げシステムを有する二段ドア付きフードユニットの側立面図。
【図２】図２は、二段ドアの部分開放位置における図１のフードユニットの側立面図である。
【図３】二段ドアの完全開放位置における図１のフードユニットの側立面図。
【図４】偏心器が板バネの圧縮調節の第１の位置にある二段ドアの閉鎖位置における図１のフードユニットの拡大詳細図。
【図５】偏心器が板バネの圧縮調節の第１の位置にある二段ドアの開放位置における図３のフードユニットの拡大詳細図。
【図６】偏心器が第１の調節位置よりも板バネの圧縮が大きい第２の調節位置にある二段ドアの開放位置における図３のフードユニットの拡大詳細図。
【図７】ドアの閉鎖位置における、本発明によるドア持上げシステムの一段ドアを有するフードユニットの側立面図。
【図８】ドアの開放位置における図７のフードユニットの側立面図。
【図９】上側ドアの開放角および偏心器による調節の変動に応じて二段ドアが受けるモーメントの傾向を示す図。
【図１０】上側ドアの開放角およびガススプリングのパフォーマンスの変動に応じて二段ドアが受けるモーメントの傾向を示す図。
【発明を実施するための形態】
【００１７】
図示される２つのバージョンの持上げシステムの等価部分には同一の参照符号を付す。
上記図面を参照すると、水平軸を中心とする揺動軸を想定する、フードユニットなどの家具用ドアの持上げシステムが示されている。
【００１８】
図１〜６に示される実施形態を参照すると、フードユニット２は、既知のタイプの１つまたは複数のヒンジ４によりフードユニット２の頂部５の内側に拘束され、既知のタイプの１つまたは複数のヒンジ６により下側ドア７に拘束され、さらにはドア７の内側に配置される既知のタイプの減速ヒンジ８により少なくとも１つの支持レバー９に拘束される上側ドア３を有する。
【００１９】
支持レバー９は、ヒンジ８に連結される一端と反対の端部で、フードユニット２の肩部１２の内側に取り付けられた板１１に揺動ピン１０により拘束される。
揺動ピン１０およびヒンジ４、６、８により画定される揺動軸はすべて、フードユニット２の幅方向に平行かつ水平に配向している。
【００２０】
図７および８に示される実施形態を参照すると、フードユニット２３は、既知のタイプの１つまたは複数の減速ヒンジ１４によりフードユニット２３の頂部１５の内側に拘束され、接続ロッド１７および支持レバー１９を有する少なくとも１つの運動学的チェーン（ｋｉｎｅｍａｔｉｃ  ｃｈａｉｎ）によりフードユニット２３の肩部２２の内側に取り付けられた板２１に拘束された一段ドア１３を有する。
【００２１】
具体的には、ドア１３は、既知のタイプの少なくとも１つのヒンジ１６により接続ロッド１７の一端に拘束され、接続ロッド１７の他端は揺動ピン１８により支持レバー１９に拘束され、支持レバー１９は揺動ピン２０により板２１に拘束される。
【００２２】
揺動ピン１８および２０とヒンジ１４および１６によって提供される揺動軸はすべて、フードユニット２３の幅方向に平行かつ水平に配向している。
フードユニット２およびフードユニット２３はそれぞれ、ドア３および７およびドア１３を移動させる各自のシステムを有し、該システムは、支持レバー９および支持レバー１９にそれぞれ動作可能に接続されて、ドア３および７とドア１３の閉鎖位置でドア３および７とドア１３の閉鎖方向のモーメントと、ドア３および７とドア１３の部分開放位置から始まるドア３および７とドア１３の開放方向の一次モーメントとを提供する第１の弾性装置を備える。
【００２３】
フードユニット２とフードユニット２３それぞれの弾性装置は、揺動ピン２６で板１１および板２１に枢支されるシリンダー２５と、揺動ピン２８で支持レバー９および支持レバー１９にそれぞれ枢支されるピストンロッド２７とを有するガススプリング２４を備える。
【００２４】
フードユニット２とフードユニット２３それぞれの弾性装置の揺動ピン２６および２８は、ピン１０およびピン２０とそれぞれ平行である。
ドア３および７とドア１３の移動システムは、支持レバー９および支持レバー１９にそれぞれ動作可能に接続され、弾性力の二次モーメント、および／または支持レバー９および支持レバー１９に対向して、揺動の弧状移動に沿って部分開放位置から始まるドア３および７とドア１３の開放方向に作用する摩擦力を提供する第２の弾性装置をさらに備える。
【００２５】
好都合なことに、前記第２の弾性装置が動作するドア３および７とドア１３の揺動の弧状移動は、家具外側に向かうドアの最大拡張位置を中心とし、そこでドア３および７とドア１３およびそれに一体化されたその他の部分の加重力による閉鎖モーメントは最大値を取る。
【００２６】
第２の弾性装置は、ドア３および７とドア１３の揺動の弧状移動時、開放方向の一次モーメントと合計され、動作中の摩擦を考慮に入れた開放方向の二次モーメントが、ドアおよびそれと一体化されたその他の部分の加重力によるドア３および７とドア１３の閉鎖方向のモーメントよりも優勢であるように、構成することができる。
【００２７】
このような場合、第２の弾性装置はドア３および７とドア１３の連続的開放運動を確保する。
しかしながら、第２の弾性装置は他にも、ドア３および７とドア１３の揺動の弧状移動時、開放方向の一次モーメントと合計され、動作中の摩擦を考慮に入れた開放方向の二次モーメントが、ドアおよびそれと一体化されたその他の部分の加重力によるドア３および７とドア１３の閉鎖方向のモーメントとほぼバランスが取れるように、構成することもできる。
【００２８】
このような場合、第２の弾性装置は、ドア３および７とドア１３の複数の安定した部分開放位置を確保し、その位置でユーザが把持を解放すれば、ドアは達した位置で固定される。
【００２９】
第２の弾性装置には具体的に、図示されるように、伝達される二次モーメントの値を調節することのできる特別な調節手段が設けられる。
図示される実施形態では、第２の弾性装置は、支持レバー９と支持レバー１９にそれぞれ設けられるカム３１に沿って摺動可能である摩擦面３０を有する板バネ２９を備える。
【００３０】
カム３１は、別々の材料で被覆することのできる支持レバー９および支持レバー１９それぞれの端部で、揺動ピン１０と揺動ピン２０をそれぞれ有する特定の表面プロファイルによって画定される。
【００３１】
カム３１は、揺動ピン１０および揺動ピン２０それぞれを中心とする円弧を画定する中立部を有し、該中立部に沿って、板バネ２９によって伝達される弾性力は支持レバー９と支持レバー１９の揺動ピン１０と揺動ピン２０に対して放射方向に方向づけられ、また、カム３１は曲率の異なる活性部を有し、該活性部に沿って、板バネ２９によって伝達される弾性力は支持レバー９の揺動ピン１０と支持レバー１９の揺動ピン２０に対するモーメントアームを発揮する。
【００３２】
板バネ２９は、摩擦面３０が存在する第１のバネアーム３２と、第２のバネアーム３３とを画定する角度構造を有する。
板バネ２９は、第１のバネアーム３２が一方の側から延在し、第２のバネアーム３３が反対側から延在する中間湾曲部３４を有し、両アームとも直線的に延在している。
【００３３】
中間湾曲部３４は、板１１および板２１にそれぞれ固定され中間湾曲部３４の凹側に配置されるブロック３５と、中間湾曲部３４の凸側に配置される板１１および板２１の直交タブ３６との間に留められる。
【００３４】
第２の弾性装置によって伝えられる二次モーメントを調節する手段は様々な形状を取ることができる。
調節手段は実際には、板バネ２９がドア３および７の閉鎖位置およびドア１３の閉鎖位置において受ける与圧を調節する素子を備えることができる。
【００３５】
調節素子は具体的には、バネ３３の第２のアームと動作可能に係合される偏心器３７を備える。
偏心器３７は揺動ピン１０および揺動ピン２０に平行な揺動ピン３８により板１１と板２１に枢支され、第２のバネアーム３３のより低い与圧に対応する第１の調節位置（図４）と第２のバネアーム３３のより高い与圧に対応する第２の調節位置（図６）との間で、特定の止め具３９によって制限される、約１８０度の偏心器揺動を実行するのに適する。
【００３６】
調節手段は、偏心器３７の代わりに、または偏心器３７と組み合わせて、摩擦を異ならせたカム３１の区域、具体的には異なる材料で作製されたカム３１の区域を備える。
次に、図９を参照すると、上側ドア３の開放角に応じて図１〜６のフードユニットの二段ドア３、７が受けるモーメントの傾向が示されており、α１は、第２の弾性装置が動作する開放角を示す。
【００３７】
第１の弾性装置によって生成されるモーメントの傾向は、α１よりも小さな開放角の場合、細実線で示され、α１よりも大きな開放角の場合、点線で示される。
ドア３、７およびそれと共に持上げられる部分（たとえば、ヒンジ６および８）の重量によるドア３、７の閉鎖方向のモーメントの傾向は、太実線によって示される。
【００３８】
α１よりも大きな開放角の場合、第１の調節位置に偏心器３８を有する第１の弾性装置と第２の弾性装置との組み合わせによって生成されるドア３、７の開放方向のモーメントの傾向は、細実線によって示される。
【００３９】
α１よりも大きな開放角の場合、第２の調節位置に偏心器３７を有する第１の弾性装置と第２の弾性装置との組み合わせによって生成されるドア３、７の開放方向のモーメントの傾向が一点鎖線によって示される。
【００４０】
同グラフが示すように、閉鎖角（グラフの原点）において、第１の弾性装置によって生成されるモーメントが負である、すなわち、ドア３、７の閉鎖方向に動作する。
いったん特定の角度α２に達し、第１の弾性装置によって生成されるモーメントがゼロとなり（支持レバー９に対向するガススプリングのピストン２７の動作線は、支持レバー９の揺動ピン１０で半径方向に向けられる）、α２を超えると正となる、すなわち、ドア３、７の開放方向で動作する（支持レバー９に対向するガススプリングのピストン２７の動作線は、支持レバー９の揺動ピン１０の一方側から直径方向の反対側まで通過する）。
【００４１】
開放角α３に至るまで、加重力による閉鎖方向のモーメントは、第１の弾性装置による開放方向のモーメントに対して優勢になるため、ドア３、７を開放するにはユーザの助けを得なければならない。
【００４２】
開放角α３を超えると、第１の弾性装置による開放方向のモーメントが加重力による閉鎖方向のモーメントを超え、ユーザが介入しなくても開放が継続する。
いったん開放角α１を超えると、第２の弾性装置による第２の同時モーメントが、第１の弾性装置による開放方向のモーメントに加えられる。
【００４３】
好都合なことに、第２の弾性装置は、家具外側に向かうドアの最大拡張位置を中心に、すなわち、加重力によって生成される閉鎖方向のモーメントが最大値を取る際に動作する。
【００４４】
第２の弾性装置が存在しない場合、第１の弾性装置のみによるドア３、７の開放方向のモーメントは、加重力による閉鎖方向のモーメントを克服するには不十分であろう。このことは、α４よりも大きな開放角の場合、前者を示す曲線が後者を示す曲線より下にあるという事実によって図示されている。
【００４５】
α１より大きな開放角の場合、グラフは、第１の調節位置に偏心器３７を有する第１の弾性装置および第２の弾性装置の組み合わせによって生成される開放方向のモーメントの曲線と、加重力によって生成される閉鎖方向のモーメントの曲線との重複部分を示す。
【００４６】
この重複部分で、ドア３、７は、ユーザの介入がなくても安定した部分開放位置を取る。
ユーザが偏心器３７を、板バネ２９のより大きな与圧、ひいては板バネによりカム３１に伝えられるより大きな弾性力に相当する第２の調節位置へと調節すれば、第１の弾性装置と第２の弾性装置の組み合わせによって生成される開放方向のモーメントは加重力によって生成される閉鎖方向のモーメントに対して優勢となり、ドア３、７はユーザ側の介入の必要なく自動的に完全に開放される。
【００４７】
次に図１０は、上側ドア３の開放角と第１の弾性装置のパフォーマンスの変動とに応じて図１〜６のフードユニットの二段ドア３、７が受けるモーメントの傾向を示しており、具体的には、特にわずかなガス漏れの結果、ガススプリングのパフォーマンスが時間とともに漸次低下する可能性があることが十分に既知である。
【００４８】
最大効率時の第１の弾性装置によって生成されるモーメントの傾向を実線で示し、低効率時の第１の弾性装置によって生成されるモーメントの傾向を点線で示す。
ドア３、７およびそれに一体化されたその他の部分の加重力によるドア３、７の閉鎖方向のモーメントの傾向は、太実線で示される。
【００４９】
第２の弾性装置が最初にトリガされる角度であるα１より大きな開放角の場合、第１の弾性装置および第２の弾性装置の組み合わせによって生成されるドア３、７の開放方向のモーメントの傾向は、一点鎖線で示される。
【００５０】
グラフが示すように、第２の弾性装置の助けがなければ、効率が低下した場合、いったん開放角α４を超過すれば、加重力による閉鎖方向のモーメントが第１の弾性装置による開放方向のモーメントより優勢になるという前提で、第１の弾性装置はドア３、７の完全自動開放を達成できない可能性があった。
【００５１】
なお、第２の弾性装置は、ユーザの介入なく完全な開放位置に向かうドア３、７の連続運動（図１０のグラフに示されるように、第１および第２の弾性装置の組み合わせによって生成される開放方向のモーメントの曲線は、加重力によって生成される閉鎖方向のモーメントの曲線の常に上にある）、または安定した部分開放位置を通過する運動（図９のグラフに示されるように、第１および第２の弾性装置の組み合わせによって生成される開放方向のモーメントの曲線は、加重力によって生成される閉鎖方向のモーメントの曲線と一部重複する）を引き起こすように、好みに応じて較正することができる。
【００５２】
本発明による家具用ドアの持上げシステムは、ドアの開放の完全制御を確保するのに適することが実際にも確認されている。
よって、意図される家具用ドアの持上げシステムは多数の修正や変形を行うことができ、それらはすべて発明の概念の分野に属する。さらに、あらゆる細部は技術的に等価な要素と置き換えることができる。
【００５３】
実質上、使用される材料および寸法は、需要および現状技術に応じてどのようなものでもよい。
【図１】
2014510207.tif 000003
【図２】
2014510207.tif 000004
【図３】
2014510207.tif 000005
【図４】
2014510207.tif 000006
【図５】
2014510207.tif 000007
【図６】
2014510207.tif 000008
【図７】
2014510207.tif 000009
【図８】
2014510207.tif 000010
【図９】
2014510207.tif 000011
【図１０】
2014510207.tif 000012
【国際調査報告】
2014510207.tif 000013
2014510207.tif 000014